(57)【特許請求の範囲】
【請求項１】
筐体に抜き差し可能に設けられた引き出しを備えるオフィス収納において、
前記引き出しの前面に電気機器が設けられ、
前記電気機器に配線を介して接続することで該電気機器を駆動させる電源が、前記引き出しの前面より奥側であって、前記引き出しの外面側または内面側に露出した状態で該引き出しと共に移動するように、前記オフィス収納に取り付けられ、
前記配線が、前記引き出しの底板の下面側に引き回されることで前記電気機器と前記電源との間を接続していることを特徴とするオフィス収納。
【請求項２】
前記電源が、着脱可能に取り付けられていることを特徴とする請求項１記載のオフィス収納。
【請求項３】
前記電源は、支持部材を介して前記引き出しに取り付けられていることを特徴とする請求項１又は２に記載のオフィス収納。
【請求項４】
前記電気機器が、前記引き出しの前面に設けられた電気錠であることを特徴とする請求項１〜３のいずれか一項に記載のオフィス収納。
【請求項５】
前記電源が二次電池であり、
前記引き出しの前面に、前記電源に配線を介して接続する太陽電池が設けられていることを特徴とする請求項１〜４のいずれか一項に記載のオフィス収納。
【請求項６】
前記電源がコンデンサであることを特徴とする請求項１〜４のいずれか一項に記載のオフィス収納。
【発明の詳細な説明】
【技術分野】
【０００１】
本発明は、オフィス収納に関する。
【背景技術】
【０００２】
近年、オフィスにおいては、顧客情報などの重要書類や発表前の機密文書など、さまざまな重要情報や重要文書が保管されている。したがって、オフィスでは、外部からの不正侵入を防ぐのはもちろんであるが、重要な情報等の漏洩を防ぐための対策も必要となっているため、例えば電気錠を備えた収納（オフィス収納）が用いられている。
【０００３】
電気錠を備えた収納としては、例えば特許文献１に記載されているように、太陽電池と電気二重層コンデンサーとを有する電気錠の電源装置を備えたキャビネットが知られている。このキャビネットの電源装置では、照明が切られて時間が経ってしまった後、例えば夜間や朝一番のときなどに太陽電池の起電力の生成量が不足していることで電気錠の施開錠ができなくなる、といった課題を解消すべく、太陽電池の出力回路に、充電用端子として機能するジャックを備えた充電回路を並列に設けている。
【先行技術文献】
【特許文献】
【０００４】
【特許文献１】特開２００６−２３３６２２号公報
【発明の概要】
【発明が解決しようとする課題】
【０００５】
ところで、電気錠は収納の開閉扉など開閉部の前面に設けられるのが一般的である。したがって、この電気錠と電源との間を接続する配線については、電気錠が設けられた開閉部の開閉に伴う移動によって負荷を受けて損傷（断線）しないように、また、開閉部の開閉動作に干渉しないように、引き回す必要がある。
【０００６】
しかしながら、前記特許文献１の技術では、電気錠の電源装置を構成する電気二重層コンデンサーをどこに配置するか、といったことが記載されておらず、もちろん電気二重層コンデンサーと太陽電池との間の配線をどのように引き回すのかも開示されていない。したがって、この技術をオフィス収納に適用しようとしても、開閉部の開閉に影響されることなく配線を如何に引き回すか、といった課題が残されている。
【０００７】
本発明は前記事情に鑑みてなされたもので、その目的とするところは、電気錠等の電気機器と該電気機器を駆動させる電源とを備えるオフィス収納として、これら電気機器と電源との間を接続する配線を、開閉部の開閉に影響されないように引き回すことができるようにした、オフィス収納を提供することにある。
【課題を解決するための手段】
【０００８】
本発明のオフィス収納は、筐体に抜き差し可能に設けられた引き出しを備えるオフィス収納において、前記引き出しの前面に電気機器が設けられ、前記電気機器に配線を介して接続することで該電気機器を駆動させる電源が、前記引き出しの前面より奥側であって、前記引き出しの外面側または内面側に露出した状態で該引き出しと共に移動するように、前記オフィス収納に取り付けられ、前記配線が、前記引き出しの底板の下面側に引き回されることで前記電気機器と前記電源との間を接続していることを特徴とする。
【０００９】
このオフィス収納によれば、電気機器に配線を介して接続する電源が取り付けられているので、外部電源を必要とすることなく、このオフィス収納に取り付けられた電源によって電気機器を駆動させることが可能となる。また、電源が引き出しの外面側または内面側に露出しているので、そのメンテナンスが容易になる。さらに、電源が引き出しと共に移動するように取り付けられているので、電気機器と電源とを接続する配線を、引き出しの開閉に影響されずに引き回すことが可能になる。
また、配線が引き出しの底板の下面側に引き回されているので、配線が引き出しの収納部内に位置しないため、収納部内への収納物の出し入れに配線が干渉することがなく、したがって配線の損傷が防止される。また、配線が露出しないため、見映えも良くなる。
【００１０】
また、前記オフィス収納においては、前記電源が、着脱可能に取り付けられていることが好ましい。
この構成によれば、電源を構成する電池の交換など、メンテナンスが容易になる。
【００１１】
また、前記オフィス収納において、前記電源は、支持部材を介して前記引き出しに取り付けられていることが好ましい。
この構成によれば、電源が支持部材を介して引き出しに間接的に取り付けられているので、電源のメンテナンスを行う際に引き出しに干渉されないため、メンテナンスが容易になる。
【００１２】
また、前記オフィス収納においては、前記電気機器が、前記引き出しの前面に設けられた電気錠であるのが好ましい。
この構成によれば、このオフィス収納により、収納した重要書類や機密文書などの盗難や漏洩を防止して重要書類や機密文書などを安全に保管することが可能になる。
【００１４】
また、前記オフィス収納においては、前記電源が二次電池であり、前記引き出しの前面に、前記電源に配線を介して接続する太陽電池が設けられていることが好ましい。
この構成によれば、太陽電池で生成した電力を電源に出力することにより、電気機器が太陽電池によって駆動するようになり、したがって電源のメンテナンスが容易になる。
また、前記オフィス収納においては、前記電源がコンデンサであることが好ましい。
この構成によれば、電源としてコンデンサを備えることにより、電気機器が安定して駆動する。
【発明の効果】
【００１５】
本発明によれば、電気機器と電源との間を接続する配線を、引き出しの開閉に影響されずに引き回すことができるので、引き出しの開閉によって配線が損傷したり、配線が引き出しの開閉動作に干渉するといった不都合を防止することができる。また、電源が引き出しの外面側または内面側に露出しているので、電池交換などのメンテナンスを容易にすることができる。
【図面の簡単な説明】
【００１６】
【図１】本発明に係るオフィス収納の一実施形態の概略構成を示す正面図である。
【図２】図１に示したオフィス収納の内部を示す斜視図である。
【図３】キャビネットの要部側断面図である。
【図４】前板の背面図である。
【図５】本発明に係るオフィス収納の変形例を説明するための図であり、（ａ）は引き出しを正面側から見た断面図、（ｂ）引き出しの要部平面図である。
【発明を実施するための形態】
【００１７】
以下、本発明に係るオフィス収納の実施形態を図面に基づいて詳しく説明する。
図１は、本発明に係るオフィス収納の一実施形態の概略構成を示す正面図、図２は、図１に示したオフィス収納の内部を示す斜視図である。図１、図２に示す符号１は、本発明に係るオフィス収納としてのキャビネットである。このキャビネット１は、本実施形態では筐体２に引き出し３が縦に３段重ねられて配置されたもので、各引き出し３が、筐体２内に抜き差し可能に設けられて構成されている。
【００１８】
筐体２は、図２に示すように前側が開口する箱状のもので、側壁２ａの内面側に、各引き出し３を前方にスライドさせるためのスライドレール４が設けられている。
引き出し３は、前板５と、一対の側板６ａ、６ａ、後側板６ｂ、および図３に示す底板６ｃを備えて箱状に形成されている。底板６ｃ上において、前板５と一対の側板６ａ、６ａと後側板６ｂとに囲まれた部位が、引き出し３の収納部となっている。なお、本実施形態では、一対の側板６ａ、６ａ、および後側板６ｂは、全て本発明に係る側板であるものとする。
【００１９】
これら側板６ａ、６ａおよび後側板６ｂは、全て同じ高さに形成されており、本実施形態では前板５より充分に低い高さに形成されている。
前板５は、引き出し３が筐体２内に納められた際に、キャビネット１の前側開口を閉じるように形成されたもので、本実施形態では、その前面中央部に把手７が設けられ、把手７の一方の側に太陽電池８が設けられている。また、把手７の他方の側には、前板５の内面側に、施解錠装置９が設けられている。
【００２０】
把手７は、従来公知の構成、例えば特開２０１１−２４１５９９号公報に開示された「把手３」と同様の構成からなるもので、前板５の前面に形成された凹部１０内に配置されて、該凹部１０に対して可動に形成されている。この把手７は、図示しないラッチ軸に連結されて、このラッチ軸を回動させることでラッチ軸の両端に設けられたラッチ（図示せず）を回動させるように構成されている。このような構成のもとに、筐体２内に引き出し３が納められている通常時には、ラッチが筐体２側に係止することで引き出し３が引き出し不能にロックされる。また、必要時には、把手７を操作してラッチの係止を解除し、その状態で引き出すことにより、筐体２から引き出し３が容易に引き出せるようになっている。
【００２１】
施解錠装置９は、本実施形態では前板５の背面図である図４に示すように、シリンダ錠等の機械式施解錠装置１１と、電気機器としての電気式施解錠装置１２（電気錠）とからなっている。これら機械式施解錠装置１１、電気式施解錠装置１２は、従来公知の構成、例えば特開２０１１−２４１５９９号公報に開示された「機械式施解錠装置２５」、「電気式施解錠装置２６」と同様の構成からなる。
【００２２】
機械式施解錠装置１１は、図１に示すようにそのキー差込部１１ａが、前板５において把手７の近傍に形成されており、ここに専用のキーが差し込まれ、解錠側に回されることにより、電気式施解錠装置１２が施錠されている場合にも、これに抗して強制的に解錠できるように構成されている。すなわち、電気式施解錠装置１２により施錠されている状態において、万一、電池切れや電気的な故障等によって引き出し３を引き出すことができなくなったとき、機械式施解錠装置１１によって強制的に解錠できるようになっている。
【００２３】
電気式施解錠装置１２は、ソレノイドユニット（図示せず）やソレノイドユニットを作動させる制御基板（図示せず）等を備えた公知のものである。制御基板は、図３に示す配線１３を介して後述する電源１４に電気的に接続されている。このような構成によって電気式施解錠装置１２は、例えばキャビネット１から離れた位置に設置されたメインコントローラ（図示せず）のカードリーダに認証カードを近づけると、前記制御基板に解錠信号が無線等によって入力され、この解錠信号に基づいてソレノイドユニットが作動することにより、施錠、または解錠するようになっている。
【００２４】
太陽電池８は、その受光面が前板５の前面側に配置されて前板５に設けられたもので、図３に示すように配線１５を介して電源１４に接続されている。このような構成のもとに太陽電池８は、屋内照明からの光や自然光（太陽光）を受けて起電し、生成した電力を電源１４に供給するようになっている。なお、太陽電池８は照度の明暗や照度ムラなどに起因して起電力がバラツクので、電源１４への電力供給量にバラツキが生じ、電源１４を安定して充電できないことがある。そこで、太陽電池８に定電圧回路（図示せず）を接続しておき、電源１４への電力供給量、すなわち充電圧を一定にしている。
【００２５】
電源１４は、本実施形態ではケース１６とケース１６内に着脱可能に設けられた二次電池１７とによって構成されたもので、前述したように配線１３を介して前記電気式施解錠装置１２（電気錠）に接続されている。これによって電源１４は、二次電池１７から電気式施解錠装置１２（電気錠）に電力を供給し、これを駆動させるようになっている。また、太陽電池８から配線１５を介して電力が供給されることにより、充電されるようになっている。
【００２６】
このような電源１４は、本実施形態では図２、図３に示すように引き出し３の後側板６ｂの奥側（後側）に、支持部材１８を介して取り付けられている。すなわち、本実施形態の引き出し３は、その奥行きが筐体２の奥行きより短くなっている。したがって、後側板６ｂより奥側には、図３に示すように筐体２の背板２ｂとの間に空きスペースＳが設けられ、この空きスペースＳに電源１４が配置されている。
【００２７】
支持部材１８は、後側板６ｂに当接してこれに螺子止めされる当て板１８ａと、この当て板１８ａの上端から水平方向後側、すなわち前板５と反対の側に延在する載置板１８ｂとを有して構成されたものである。載置板１８ｂは、後側板６ｂの上端とほぼ同じ高さに配置されている。そして、載置板１８ｂ上にケース１６が載せられ、螺子止めされたことにより、電源１４は引き出し３に対して着脱可能に取り付けられている。すなわち、電源１４は、引き出し３の後側板６ｂの外面側に露出した状態で取り付けられている。なお、後側板６ｂへの当て板１８ａの固定や、載置板１８ｂ上へのケース１６の固定は、螺子止め以外にも、スライド機構を用いたスライド固定や、接着等によって行うこともできる。
【００２８】
電源１４は引き出し３に対して直接でなく、支持部材１８を介して間接的に取り付けられている。また、電源１４は、支持部材１８を介して取り付けられたことにより、引き出し３の全ての側板、すなわち側板６ａ、６ａ、後側板６ｂの上端より上側に配置されたものとなっている。さらに、電源１４は、引き出し３に対して支持部材１８を介して取り付けられ、固定されていることにより、引き出し３と共に一体に移動するようになっている。
【００２９】
電源１４と電気式施解錠装置１２との間を接続する配線１３は、後側板６ｂの後面側を通って底板６ｃの下面側に引き回され、その後、図４に示すように前板５の後面側、あるいは前板５の内部を通って電気式施解錠装置１２の前記制御基板（図示せず）に接続されている。また、電源１４と太陽電池８との間を接続する配線１５も、配線１３と同様に、後側板６ｂの後面側、あるいは前板５の内部を通って底板６ｃの下面側に引き回され、その後、前板５の後面側を通って太陽電池８に接続されている。
【００３０】
配線１３および配線１５は、底板６ｃの下面側に設けられた配線保持具１９に保持されたことにより、底板６ｃの下面に沿うように引き回されている。これにより、配線１３および配線１５も、引き出し３と共に一体に移動するようになっており、引き出し３の出し入れの際のスライド移動に干渉することなく、また、このスライド移動に干渉されることもなく、その引き回された姿勢がほぼ一定に維持されている。配線保持具１９は、横断面コ字状、またはＵ字状のもので、その溝状の凹部内に配線１３（１５）を保持した状態で、螺子止め等によって底板６ｃの下面に着脱可能に取り付けられている。このような配線保持具１９は、図４では一つのみ示しているが、複数用いてもよいのはもちろんである。また、配線保持具１９は、底板６ｃの下面だけでなく、後側板６ｂの背面にも取り付けられ、配線１３（１５）が引き出し３のスライド移動に干渉しないようにその姿勢が維持されている。さらに、底板６ｃと後側板６ｂとの間のコーナー部にも、例えばスライドレールにストッパ（図示せず）が設けられており、このストッパによって配線１３（１５）の姿勢が維持されている。
【００３１】
このような構成のキャビネット１にあっては、執務時などの通常時には例えば施解錠装置９を解錠しておくことにより、引き出し３を自由に開閉して引き出し３内に各種の書類などを収納し、あるいは収納した書類等を取り出せるようにする。
また、執務時間が終了する夜間や休日などの前には、メインコントローラ（図示せず）のカードリーダに認証カードを近づけるなどにより、施解錠装置９の電気式施解錠装置１２を作動させ、施錠する。この電気式施解錠装置１２の駆動電力は電源１４によって供給される。また、電源１４は、太陽電池８によって充電される。
【００３２】
電源１４の充電量が不足して電気式施解錠装置１２が駆動せず、したがって解錠できない場合には、機械式施解錠装置１１によって強制的に解錠することができる。これにより、引き出し３を引き出すことができる。
引き出し３を引き出した際、電源１４が後側板６ｂの奥側（外面側）に露出しているので、この電源１４の二次電池１７を容易に交換することができる。すなわち、ケース１６を開けて充電量が不足した二次電池１７を取り出し、別に容易にした充電済みの二次電池１７に交換する。取り出した二次電池１７については、図示しない充電器によって充電しておき、保管しておくのが好ましい。
【００３３】
本実施形態のキャビネット１によれば、電気式施解錠装置１２（電気機器）に配線１３を介して接続する電源１４が取り付けられているので、外部電源を必要とすることなく、このキャビネット１内に取り付けられた電源１４によって電気式施解錠装置１２を駆動させることができる。また、電源１４が引き出し３の外面側に露出しているので、二次電池１７の交換などのメンテナンスが容易になる。
【００３４】
さらに、電源１４が引き出し３と共に一体に移動するように取り付けられているので、この電源１４と引き出し３の前板５に固定された電気式施解錠装置１２とを接続する配線１３を、引き出し３の開閉に影響されずに引き回すことができ、したがって引き出し３の開閉によって配線１３が損傷（断線）したり、配線１３が引き出し３の開閉動作に干渉するといった不都合を防止することができる。同様に、電源１４と太陽電池８とを接続する配線１５についても、引き出し３の開閉に影響されずに引き回すことができ、したがって配線１３が損傷（断線）したり、引き出し３の開閉動作に干渉するのを防止することができる。
【００３５】
また、電源１４において実質的な電源を構成する二次電池１７を、ケース１６に対して着脱可能に取り付け、また、ケース１６も支持部材１８に着脱可能に取り付けているので、二次電池１７の交換などのメンテナンスを容易にすることができる。
また、電源１４が、引き出し３に対して支持部材１８を介して間接的に取り付けられているので、二次電池１７の交換などの際に側板６ａや後側板６ｂに干渉されることがなく、したがってメンテナンスを容易にすることができる。
【００３６】
また、電源１４が、支持部材１８を介して引き出し３に取り付けられているので、二次電池１７の交換などの際に引き出し３に干渉されることがなく、したがってメンテナンスを容易にすることができる。
また、電源１４が、支持部材１８を介して取り付けられたことにより、引き出し３の側板、すなわち側板６ａや後側板６ｂの上端より上側に配置されているので、引き出し３を引き出した際に電源１４の位置が一目で分かり、電源１４の取り扱いも容易になるため、電源１４のメンテナンスを容易することができる。
【００３７】
また、引き出し３の前面に電気機器として電気式施解錠装置１２（電気錠）を設けているので、このキャビネット１により、収納した重要書類や機密文書などの盗難や漏洩を防止して重要書類や機密文書などを安全に保管することができる。
また、電気式施解錠装置１２を引き出し３の前面に設け、電源１４を引き出し３の後側板６ｂの後側（奥側）に配置し、配線１３を、引き出し３の底板６ｃの下面側に引き回すことで電気式施解錠装置１２と電源１４との間を接続しているので、配線１３が引き出し３の収納部内、すなわち底板６ｃ上に位置しないため、収納部内への収納物の出し入れに配線１３が干渉することがない。したがって、配線１３の断線との損傷を防止することができる。また、配線１３が露出しないため、見映えも良くすることができる。
【００３８】
また、電源１４を二次電池１７によって構成し、引き出し３の前面に、配線１５を介して電源１４に接続する太陽電池８を設けられているので、太陽電池８で生成した電力を電源１４に出力することにより、電気式施解錠装置１２を太陽電池８によって駆動することができ、したがって電源１４における二次電池１７の交換頻度を充分に低減できるなど、メンテナンスを容易にすることができる。
【００３９】
なお、本発明は前記実施形態に限定されることなく、本発明の主旨を逸脱しない範囲で種々の変更が可能である。
例えば、前記実施形態では電源１４を後側板６ｂの奥側（後側）に配置したが、電源１４の配置箇所としては、引き出し３の外面側または内面側に露出していれば、側板６ａの外面側であってもよく、また、後側板６ｂや側板６ａ、底板６ｃ、前板５の内面側、すなわち収納部内に配置してもよい。
【００４０】
電源１４を側板６ａの外面側に配置する場合には、筐体２の側壁２ａと側板６ａとの間に充分な空きスペースを形成し、この空きスペースに電源１４を配置する。その場合、側板６ａの外面に電源１４を直接螺子止め等によって取り付けてもよく、適宜な支持部材を介して側板６ａの外面側に電源１４を配置してもよい。
【００４１】
支持部材を介して側板６ａの外面に電源１４を取り付ける場合、支持部材として、例えば引き出し３を前方に引き出し、また、その状態から筐体２の奥側に移動させて筐体２内に納めるためのスライドレール４を利用することができる。すなわち、図５（ａ）、（ｂ）に示すようにスライドレール４に電源１４を取り付けることで、電源１４を側板６ａの外面側に配置してもよい。
【００４２】
ただし、その場合にも、電源１４を引き出し３と共に移動するように取り付ける必要がある。したがって、電源１４が取り付けられる部位としては、図５（ａ）、（ｂ）中において、スライドレール４における、筐体２側に配置されるレール部４ａではなく、引き出し３の底板６ｃまたは側板６ｂに取り付けられ固定されて、レール部４ａ上（レール部４ａの内側）を走行するスライド部４ｂとされる。すなわち、スライド部４ｂにおける引き出し部３側の側面４ｃに、電源１４が取り付けられる。
【００４３】
このように側板６ａに対向するスライド部４ｂの側面４ｃ上に電源１４を取り付けることで、電源１４を引き出し３と共に移動させることができる。
なお、図５（ａ）、（ｂ）に示した例では、電源１４に配線１３を介して接続される電気機器２０として、例えばＬＥＤが用いられる。このＬＥＤ（電気機器２０）は、例えば引き出し３が開いているか閉じているかを表示する、開閉表示装置として機能する。
【００４４】
また、前記実施形態では電源１４を支持部材１８に対して着脱可能に取り付け、また、支持部材１８も後側板６ｂに対して着脱可能に取り付けているが、電源１４や支持部材１８を引き出し３に対して固定してもよい。
また、電源１４を、引き出し３の後側板６ｂや側板６ａに直接取り付けてもよい。その場合に、当然ながら引き出し３の上端（前板５以外の側板の上端）より上側に配置されなくてもよい。
【００４５】
また、前記実施形態では、引き出し３に設けられる電気機器として電気錠（電気式施解錠装置１２）を採用したが、本発明はこれに限定されることなく、電気錠以外の種々の電気機器を採用することができる。例えば、図５（ａ）、（ｂ）に示したＬＥＤ（電気機器２０）や、それ以外にも、前板５に液晶パネル等の表示パネルを取り付け、引き出し３の収納物に関する情報や、引き出し３には関係ない各種の情報を表示する表示媒体として機能させることもできる。
また、例えばケース１６に液晶パネル等による表示部を設け、二次電池１７の充電状態を表示するように構成してもよい。さらには、この二次電池１７の充電状態を、前記した前板５に取り付ける表示パネルで表示させるようにしてもよい。
【００４６】
また、前記実施形態では太陽電池８に接続させて二次電池１７を備える電源１４を設けたが、このように太陽電池８に接続する場合などでは、二次電池１７に代えてコンデンサを用い、このコンデンサによって電源１４を構成してもよい。コンデンサとしては、例えば電気二重層コンデンサが用いられる。コンデンサは二次電池に比較して小型化できるので、空きスペースが充分に取れないような場合、例えば図５（ａ）、（ｂ）に示したような側板６ａの外面側に電源１４を配置するような場合に、好適となる。
【００４７】
また、前記実施形態では引き出し３の前面に太陽電池８を設けたが、太陽電池８を設けることなく、したがって電源１４についても二次電池でなく乾電池を用いてもよく、コンデンサを用いてもよい。さらに、太陽電池８を設けた場合でも、この太陽電池８を直接電気錠等の電気機器の主電源として用い、乾電池やコンデンサを予備の電源として用いてもよい。その場合にも、予備の電源を前記実施形態における電源１４とすることにより、その配線１３を引き出し３の開閉に影響されずに引き回すことができる。
【００４８】
また、電源１４としては、二次電池１７や乾電池をケース１６に着脱可能に収納して構成することなく、直接配線に接続してもよい。
また、前記実施形態では本発明のオフィス収納をキャビネットに適用した場合について説明したが、本発明のオフィス収納はキャビネットに限定されることなく、他に例えばデスクやテーブル等の引き出しにも適用することができる。
【符号の説明】
【００４９】
１…キャビネット（オフィス収納）、２…筐体、３…引き出し、４…スライドレール、５…前板、６ａ…側板、６ｂ…後側板（側板）、６ｃ…底板、８…太陽電池、１２…電気式施解錠装置（電気錠：電気機器）、１３…配線、１４…電源、１５…配線、１７…二次電池、１８…支持部材、２０…電気機器
【図１】
0006566540.tif 000002
【図２】
0006566540.tif 000003
【図３】
0006566540.tif 000004
【図４】
0006566540.tif 000005
【図５】
0006566540.tif 000006